(57)【特許請求の範囲】
【請求項１】
焜炉本体、天板、基板、および基板収納体を備え、
前記焜炉本体は、
外郭を構成する、上方に開口した筐体と、
前記筐体に取り付けられ、前記筐体内に設置された送風機とを備え、
前記筐体に吸気口と排気口とが形成され、
前記送風機は、
前記吸気口に対向する吸い込み口と、
前記送風機の上面部に形成され、かつ、上方に向かって突出した吹き出し口とを備え、
前記基板は前記天板の下方に配置され、この基板は、前記天板に設けられた操作具の操作を検出するための検出部、又は前記天板を通して前記天板の上面側に焜炉の運転情報を表示する表示部のうちの少なくとも一方が実装されたものであり、
前記基板収納体は、
基板収納部と、
前記基板収納部内に通じる気体流入口と、
前記基板収納部内に通じる気体流出口とを備え、
前記基板収納部に前記基板が収納され、
前記基板収納体が前記天板に取り付けられ、前記天板が前記筐体の上開口部を覆うように前記筐体上に設置され、
前記基板収納体は、前記気体流入口が形成された底部を備え、前記気体流入口に前記送風機の前記吹き出し口が嵌め込まれて、前記気体流入口が前記吹き出し口に通じ、
前記基板収納体の前記気体流出口が、前記筐体の前記排気口に通じたことを特徴とする焜炉。
【請求項２】
前記吸気口が前記筐体の周壁部に形成され、
前記送風機が、前記吸い込み口の周囲部を前記筐体の周壁部における前記吸気口の周囲部に沿って配置した状態を適正装着位置として前記筐体に装着される焜炉であって、
前記送風機は、前記吸い込み口の周囲部から前記吸気口側となる側方に突出した後に上方に突出した支持片を備え、
前記筐体の周壁部における前記吸気口の周囲部に支持孔が形成され、
前記支持片が前記支持孔に挿入されて、前記送風機が、前記支持孔の上縁部により、前記送風機の前記吸い込み口の周囲部が前記筐体の周壁部に沿う位置とこの位置より前記吸気口側とは反対側の側方に離れた位置との間で揺動できるように且つ前記送風機が前記揺動の方向と交差する第１方向に移動できるように支持され、
前記筐体に、
前記送風機が前記適正装着位置に配置されたときに前記送風機の前記揺動を規制し且つ前記送風機が前記適正装着位置から前記第１方向に移動したときに前記揺動の規制が解除される規制部と、
前記適正装着位置に配置された前記送風機が前記第１方向に移動することを規制する規制体とが設けられたことを特徴とする請求項１に記載の焜炉。
【請求項３】
前記規制体が前記送風機に上方から挿通されて前記筐体にねじ込まれたビスであることを特徴とする請求項２に記載の焜炉。
【発明の詳細な説明】
【技術分野】
【０００１】
本発明は焜炉に関する。
【背景技術】
【０００２】
特許文献１にはガス焜炉が示されている。このガス焜炉は、上方に開口した本体ケースと、本体ケースの上開口部を覆う天板を備えている。本体ケースの内部には天板上の被加熱物を加熱するためのガスバーナーが設けられている。
【０００３】
また、本体ケースの内部には液晶表示装置が設けられている。液晶表示装置は、焜炉の運転状態を表示する液晶表示盤と、これを制御する制御基盤とを備えている。液晶表示装置は、本体ケースの内部に設けられた冷却用通風路に収納されている。液晶表示盤の表示は、天板に設けられた表示窓を通して視認される。冷却用通風路は本体ケースの周壁部に形成された気体流入口と気体流出口とを繋いでいる。冷却用通風路の上流側の端部には、送風ファンが設けられている。送風ファンが駆動されると、冷却用通風路には気体流入口から本体ケースの外部の空気が吸引される。この空気は液晶表示装置が設置された箇所を通過した後、気体流出口から本体ケースの外部へ排出される。これにより、液晶表示装置は前記冷却用通風路に吸引された空気により冷却される。
【先行技術文献】
【特許文献】
【０００４】
【特許文献１】特開２００９−７４７２９号公報
【発明の概要】
【発明が解決しようとする課題】
【０００５】
ところで、特許文献１にあっては、液晶表示装置が本体ケースに設けられるため、天板が本体ケースから取り外された後に再度本体ケースに取り付けられたとき、本体ケースに対する天板の位置がずれ、これにより天板における液晶表示装置の表示位置がずれる恐れがある。
【０００６】
また、特許文献１に示された焜炉とは異なるが、例えば天板にはガスバーナーの点消火の切替えや火力を調節するための操作具を設ける場合がある。この場合、例えば操作具の操作を検出するための検出部が実装された基板が本体ケースの内部に設けられる。しかし、このように基板が本体ケースに設けられると、天板が本体ケースから取り外された後に再度本体ケースに取り付けられたとき、天板に設けられた操作具と、基板に設けられた検出部との位置がずれ、検出部の検出精度が低下する可能性がある。
【０００７】
本発明は前記事情に鑑みてなされたものであって、表示部又は検出部の少なくとも一方を実装した基板を冷却でき、しかも、焜炉本体の筐体への天板の脱着に伴い、天板に対する基板の位置がずれ難い焜炉を提供すること課題とする。
【課題を解決するための手段】
【０００８】
本発明の焜炉は、以下に示す第１の特徴を有する。焜炉本体、天板、基板、および基板収納体を備え、前記焜炉本体は、外郭を構成する、上方に開口した筐体と、前記筐体に取り付けられ、前記筐体内に設置された送風機とを備え、前記筐体に吸気口と排気口とが形成され、前記送風機は、前記吸気口に対向する吸い込み口と、前記送風機の上面部に形成され、かつ、上方に向かって突出した吹き出し口とを備え、前記基板は前記天板の下方に配置され、この基板は、前記天板に設けられた操作具の操作を検出するための検出部、又は前記天板を通して前記天板の上面側に焜炉の運転情報を表示する表示部のうちの少なくとも一方が実装されたものであり、前記基板収納体は、基板収納部と、前記基板収納部内に通じる気体流入口と、前記基板収納部内に通じる気体流出口とを備え、前記基板収納部に前記基板が収納され、前記基板収納体が前記天板に取り付けられ、前記天板が前記筐体の上開口部を覆うように前記筐体上に設置され、前記基板収納体は、前記気体流入口が形成された底部を備え、前記気体流入口に前記送風機の前記吹き出し口が嵌め込まれて、前記気体流入口が前記吹き出し口に通じ、前記基板収納体の前記気体流出口が、前記筐体の前記排気口に通じる。
【０００９】
また、本発明の焜炉は、前記第１の特徴を有する焜炉において、以下に示す第２の特徴を有する。前記吸気口が前記筐体の周壁部に形成され、前記送風機が、前記吸い込み口の周囲部を前記筐体の周壁部における前記吸気口の周囲部に沿って配置した状態を適正装着位置として前記筐体に装着される焜炉であって、前記送風機は、前記吸い込み口の周囲部から前記吸気口側となる側方に突出した後に上方に突出した支持片を備え、前記筐体の周壁部における前記吸気口の周囲部に支持孔が形成され、前記支持片が前記支持孔に挿入されて、前記送風機が、前記支持孔の上縁部により、前記送風機の前記吸い込み口の周囲部が前記筐体の周壁部に沿う位置とこの位置より前記吸気口側とは反対側の側方に離れた位置との間で揺動できるように且つ前記送風機が前記揺動の方向と交差する第１方向に移動できるように支持され、前記筐体に、前記送風機が前記適正装着位置に配置されたときに前記送風機の前記揺動を規制し且つ前記送風機が前記適正装着位置から前記第１方向に移動したときに前記揺動の規制が解除される規制部と、前記適正装着位置に配置された前記送風機が前記第１方向に移動することを規制する規制体とが設けられる。
【００１０】
また、本発明の焜炉は、前記第２の特徴を有する焜炉において、以下に示す第３の特徴を有する。前記規制体が前記送風機に上方から挿通されて前記筐体にねじ込まれたビスである。
【発明の効果】
【００１１】
本発明の第１の特徴を有する焜炉は、送風機を駆動することで、筐体の外部の空気を、筐体の吸気口から取り込んで、基板収納部の内側に通過させた後、排気口から筐体の外部に排出でき、前記基板収納部の内側を通過する空気により、検出部又は表示部が設けられた基板を冷却できる。また、基板を収納した基板収納部は、天板に取り付けられる。このため、例えば筐体上に設置した天板を取り外し、この後、再度天板を筐体上に設置した時に、基板の天板に対する相対位置がずれ難くなる。従って、天板の脱着に伴って基板に実装された表示部が天板の正しい表示位置からずれたり、基板に実装された検出部が天板に設けられた操作具からずれた位置に配置されるといった事態が生じ難くなる。
【００１２】
また、本発明の第２の特徴を有する焜炉は、送風機を簡単に筐体に取り付けたり筐体から取り外したりすることができる。すなわち、送風機を筐体に取り付ける場合、作業者は送風機を適正設置位置に配置された姿勢よりも、下部が吸気口側と反対側に位置するように傾けて、支持片を支持孔に簡単に挿入できる。また、この後、作業者は、送風機を下部が吸気口に近づくように回転し、規制部によって送風機の前記揺動を規制し、且つ規制体により送風機の第１方向への移動を規制することで、送風機を容易に筐体に固定することができる。また、筐体から送風機を取り外す場合、作業者は前記取り付け時の手順と逆の手順により、送風機を筐体から容易に取り外すことができる。
【００１３】
また、本発明の第３の特徴を有する焜炉にあっては、筐体の上方から送風機にビスを挿通し、このビスを筐体にねじ込むことで、送風機を簡単に筐体に取り付けることができる。また、筐体の上方からビスを取り外すだけで、筐体に対する送風機の固定を簡単に解除できる。
【図面の簡単な説明】
【００１４】
【図１】本発明の実施形態の焜炉の斜視図である。
【図２】図１２のＣ−Ｃ′断面図である。
【図３】前記焜炉の筐体において送風機を設置した部分を示した斜視図である。
【図４】前記送風機を取り外した状態における、前記筐体の送風機設置部分を示した斜視図である。
【図５】前記送風機を示した斜視図である。
【図６】前記送風機の支持体を示した斜視図である。
【図７】前記送風機を適正設置位置から離れる方向に回転させた状態を示した斜視図である。
【図８】前記送風機を図７に示す位置よりも適正設置位置側に回転させた状態を示した斜視図である。
【図９】図９Ａは前記焜炉の基板、基板収納体、および防熱用カバーを取り外した天板の底面図であり、図９Ｂは図９ＡのＡ−Ａ′断面図である。
【図１０】図９ＢのＢ部拡大図である。
【図１１】前記焜炉の基板および基板収納体を取付け且つ防熱用カバーを取り外した天板の底面図である。
【図１２】前記焜炉の基板、基板収納体、および防熱用カバーを取付けた天板の斜視図である。
【図１３】前記焜炉の操作具、天板、基板の拡大断面図である。
【図１４】前記操作具の平面図である。
【図１５】前記主磁束形成用磁極、クリック感付与用磁極、および検出部を示した平面図である。
【発明を実施するための形態】
【００１５】
以下、添付図面に基づいて本発明の実施形態について説明する。図１に示す本実施形態の焜炉はガス焜炉である。なお、焜炉はガス焜炉に限られず、抵抗線を有する電気焜炉や、電磁誘導加熱調理器（ＩＨ調理器）であってもよい。
【００１６】
以下、焜炉から見てユーザーの立つ側を前方、ユーザーの立つ側とは反対側を後方、ユーザーから焜炉を見て左側を左方として説明する。
【００１７】
本実施形態の焜炉は、ドロップイン焜炉であり、焜炉本体１、天板５、基板６（図２参照）、および基板収納体７（図２参照）を備えている。
【００１８】
焜炉は、例えば以下のようにキッチンカウンターに設置される。まず、焜炉本体１がキッチンカウンターのカウンタートップに形成された開口部に落とし込んで設置され、この後、基板６および基板収納体７が取り付けられた天板５が焜炉本体１上に設置される。なお、本実施形態の焜炉はドロップイン焜炉であるが、テーブル焜炉であってもよい。
【００１９】
焜炉本体１は、筐体１０、グリル装置１１、焜炉バーナー１２Ａ，１２Ｂ、制御部（図示せず）、および送風機１３（図３参照）を備えている。
【００２０】
筐体１０は焜炉本体１の外殻を構成している。筐体１０は上方に開口した箱状に形成されている。筐体１０には、グリル装置１１、複数の焜炉バーナー１２Ａ，１２Ｂ、前記制御部、および送風機１３（図３参照）が取り付けられている。
【００２１】
グリル装置１１は、調理物を炙り焼き調理するために用いられる。図示は省略するが、グリル装置１１はグリルバーナーを備えている。なお、グリル装置１１は省略可能である。
【００２２】
本実施形態の焜炉本体１は、天板５上に配置された被加熱物を加熱するための加熱部として、２つの焜炉バーナー１２Ａ，１２Ｂを備えている。両焜炉バーナー１２Ａ，１２Ｂは筐体１０内の後部に左右に並べて設置されている。なお、焜炉本体１は焜炉バーナーを１つだけ備えてもよいし、３以上の焜炉バーナーを備えてもよい。
【００２３】
前記制御部は筐体１０の内部に設置されている。図示は省略するが、各焜炉バーナー１２Ａ，１２Ｂおよび前記グリルバーナーの夫々には、点火プラグが設けられている。各点火プラグは前記制御部に電気接続されている。
【００２４】
図示は省略するが、各焜炉バーナー１２Ａ，１２Ｂおよび前記グリルバーナーには、ガス供給路を介して都市ガス等の燃料ガスが供給される。ガス供給路には電磁弁と流量制御弁が設けられている。これらガス供給路、電磁弁、および流量制御弁は、筐体１０内に配置されている。電磁弁および流量調整弁は、前記制御部に電気接続されている。
【００２５】
天板５には焜炉バーナー１２Ａ，１２Ｂ用の操作具９０Ａ，９０Ｂが焜炉バーナー１２Ａ，１２Ｂ毎に設けられている。筐体１０の前端部には、前記グリルバーナー用の操作部１９が設けられている。
【００２６】
前記制御部には、各操作具９０Ａ，９０Ｂ，および操作部１９がユーザーにより操作された際に、指令信号が入力される。制御部は前記指令信号に応じて、対応するガス供給路の電磁弁を開き、流量制御弁を所定開度に開放させ、点火プラグをスパークさせて、各焜炉バーナー１２Ａ，１２Ｂやグリルバーナーを点火状態にする。
【００２７】
図４に示すように、筐体１０の内側には、送風機１３を設置するための送風機設置部２０が設けられている。本実施形態の送風機設置部２０は、筐体１０の前部の左側端部に位置している。
【００２８】
図３に示すように送風機設置部２０上には送風機１３が設置されている。ここで、送風機設置部２０には、防熱板２１が設けられることが好ましい。なお、図３では送風機１３や送風機設置部２０を見えやすくするため防熱板２１の一部を二点鎖線で示している。
【００２９】
防熱板２１は送風機設置部２０から上方に突出して送風機１３の周囲に配置される。防熱板２１は、送風機１３の前方、後方、左方、および右方のうち、筐体１０の左側壁部１６が位置する左方を除く三方を覆う。防熱板２１は、筐体１０内において、送風機１３が配置された空間と、両焜炉バーナー１２Ａ，１２Ｂおよびグリル装置１１が配置された空間とを仕切る。このため、両焜炉バーナー１２Ａ，１２Ｂおよびグリル装置１１で発生した熱が、送風機１３に伝わり難くすることができる。
【００３０】
筐体１０の周壁部には、送風機１３を駆動したときに筐体１０の外部から内部に空気を吸い込むための吸気口２２（図４参照）と、この吸い込んだ空気を筐体１０の外部に排出するための排気口２３（図１参照）とが形成されている。
【００３１】
吸気口２２は筐体１０の左側壁部１６において送風機設置部２０に対応する位置に形成されている。本実施形態の吸気口２２は、筐体１０の左側壁部１６に上下方向に並べて形成された複数の吸気孔２４で構成されている。各吸気孔２４は前後方向に長く、筐体１０の左側壁部１６を貫通している。
【００３２】
図１に示すように本実施形態の排気口２３は、筐体１０の前壁部の上端部且つ右側端部に形成された矩形状の排気孔で構成されている。
【００３３】
図３に示すように送風機１３は吸気口２２に対向するように送風機設置部２０上に設置されている。
【００３４】
図５は送風機１３を示した斜視図である。本実施形態の送風機１３は、遠心ファンである。送風機１３は送風機本体２５と支持体２６を備えている。送風機本体２５は、連通口２７、吹き出し口２８、および回転翼（不図示）を備えている。連通口２７は送風機本体２５の吸気口２２側に臨む左側面部に形成されている。吹き出し口２８は送風機本体２５の上面部に形成されている。吹き出し口２８は平面視矩形枠状に形成されており、上方に向かって突出している。
【００３５】
図６は送風機１３の支持体２６を示した斜視図である。支持体２６は底部２９と立上部３０を備えている。支持体２６の底部２９は、平板状に形成されており、送風機１３の底面部を構成している。立上部３０は底部２９の左側端部から上方に向かって突出し、送風機１３の左側面部を構成している。
【００３６】
立上部３０には左右に貫通する吸い込み口３１が形成されている。また、本実施形態の送風機１３の立上部３０の左側面部には、吸い込み口３１の周囲に配置されるパッキン１７が取り付けられている。
【００３７】
送風機本体２５は図５に示すように連通口２７が形成された左側面部を立上部３０の右側面部に当接した状態で、立上部３０に取り付けられている。送風機本体２５は例えば複数のビス３２により立上部３０に取り付けられている。
【００３８】
送風機本体２５の連通口２７と支持体２６の吸い込み口３１は連通している。送風機１３は、回転翼が回転する駆動状態になったとき、吸い込み口３１から空気を吸い込む。この空気は、送風機本体２５の連通口２７および回転翼を順に通過して、吹き出し口２８から上方に吹き出される。
【００３９】
送風機１３において吸い込み口３１の周囲部を構成する立上部３０には、支持片３３が形成されている。本実施形態の支持片３３は、立上部３０の上端部の前後２箇所に形成されており、吸い込み口３１よりも上方に位置している。各支持片３３は立上部３０の上端部から左側方に突出した横片部４４と、横片部４４の先端部（左側端部）から上方に向かって突出した縦片部４５を備えている。
【００４０】
図４に示すように、筐体１０の左側壁部１６において、吸気口２２の周囲部には支持孔３４が形成されている。支持孔３４は、筐体１０の左側壁部１６において、吸気口２２上方の前方部および後方部の２箇所に形成されている。
【００４１】
図３に示すように、送風機１３の各支持片３３は、対応する支持孔３４に挿入されている。具体的に各支持片３３は横片部４４が対応する支持孔３４に挿入され、対応する支持孔３４において前後方向に移動可能である。また、各支持片３３の縦片部４５は、筐体１０の左側壁部１６において対応する支持孔３４の上縁部の外面に沿って配置されている。これにより、送風機１３の各支持片３３は筐体１０に対して右方および上方に移動することが規制されている。
【００４２】
筐体１０の左側壁部１６の各支持孔３４の上縁部は、支持部３５を構成している。両支持部３５は対応する支持片３３が当接することにより、送風機１３を当該両支持部３５を支点にして揺動できるように支持している。具体的に、両支持部３５は、送風機１３を、立上部３０が筐体１０の左側壁部１６の内面にパッキン１７を介して当接する位置と、立上部３０がこの位置より右方に離れた位置との間で揺動できるように支持している。
【００４３】
図５に示すように、送風機１３の支持体２６の底部２９には、前記送風機１３の揺動を規制するための被規制部３６が設けられている。本実施形態では、底部２９の右側（吸気口２２と反対側）の端部に、前後に離間した２つの被規制部３６が形成されている。各被規制部３６は厚み方向を前後方向とした板状に形成されており、底部２９から下方に向かって突出している。
【００４４】
図４に示すように筐体１０の送風機設置部２０には、前後に離間した２つの規制孔３７が形成されている。各規制孔３７は、左右方向に長さ方向を有する差込部３８と、差込部３８の左側端部から前方に延び出た配置部３９を備えている。
【００４５】
図３に示すように送風機１３の各被規制部３６は、対応する規制孔３７の配置部３９に挿入されている。送風機設置部２０の各配置部３９の周縁部は、規制部４０になっている。各規制部４０は送風機１３の対応する被規制部３６の左右方向の移動を規制する。これにより、送風機１３の前記揺動は規制されている。
【００４６】
なお、各規制部４０による送風機１３の前記揺動の規制は、送風機１３を前記揺動の方向と交差する方向である後方（第１方向）に移動して、各被規制部３６を対応する規制孔３７の差込部３８に移動することで解除できる。
【００４７】
図５に示すように送風機１３の支持体２６の底部２９の右側端部には、上下に貫通するビス挿通孔４１が形成されている。
【００４８】
図３に示すように、送風機設置部２０には、送風機１３の前後方向の移動を規制する規制体４２が設けられている。本実施形態の規制体４２は、一本のビス４３で構成されている。ビス４３は支持体２６のビス挿通孔４１に上方から挿通されて、下方の送風機設置部２０にねじ込まれている。これにより、送風機１３は筐体１０に対して固定され、前後方向の移動が規制されている。なお、規制体４２はビス４３に限られず、ビス４３以外の固着具であってもよい。
【００４９】
前記のように筐体１０に装着された送風機１３は、立上部３０の左側面部がパッキン１７を介して筐体１０の左側壁部１６の内面に当接し、支持体２６の底部２９の下面が送風機設置部２０上に載置され、吸い込み口３１が筐体１０の吸気口２２に連通する。以下、この送風機１３の装着位置を適正装着位置と記載する。なお、パッキン１７は省略可能であり、この場合、送風機１３は立上部３０の左側面部を直接筐体１０の左側壁部１６の内面に当接した状態で設置される。
【００５０】
送風機１３を筐体１０に取り付ける作業は、例えば以下のように行われる。まず、作業者は、送風機１３を下部が上部よりも右側に位置するように傾けた状態にしつつ、図７に示すように各支持片３３を対応する支持孔３４に挿入する。次に作業者は、筐体１０の両支持部３５を支点にして、図８に示すように送風機１３の下部が吸気口２２に近づくように送風機１３を左に向かって回転する。作業者は前記送風機１３の回転を送風機１３の立上部３０がパッキン１７を介して筐体１０の左側壁部１６に当接するまで行う。これにより、送風機１３の各被規制部３６は、対応する規制孔３７の差込部３８に上方から挿入され、送風機１３の各被規制部３６は、対応する規制孔３７の差込部３８の左側端部に配置される。次に作業者は、送風機１３を前方に移動する。これにより、送風機１３の各被規制部３６は、対応する規制孔３７の配置部３９に配置され、送風機１３は図３に示す適正装着位置に配置される。そして、作業者はこのように適正装着位置に配置された送風機１３のビス挿通孔４１に上方からビス４３を挿通し、このビス４３を上方から送風機設置部２０にねじ込むことで、送風機１３を筐体１０の送風機設置部２０に固定する。
【００５１】
また、メンテナンス時には送風機１３を筐体１０から取り外す場合がある。この場合は作業者により、前記取り付け時の手順と逆の手順で送風機１３が筐体１０から取り外される。
【００５２】
すなわち、作業者は、送風機設置部２０からビス４３を外し、次に送風機１３を後方に移動し、この後、送風機１３を両支持部３５を支点にして、送風機１３の下部が吸気口２２から離れるように送風機１３を右に向かって回転し、この後、送風機１３を移動して各支持片３３を対応する支持孔３４から引き抜く。
【００５３】
なお、本実施形態の規制部４０は、規制孔３７の配置部３９の周縁部で構成されているが、送風機１３の揺動を規制し、送風機１３の前後方向の移動により前記揺動の規制を解除できるものであれば、その形状や大きさ等は限定されない。
【００５４】
図示は省略するが、送風機１３は前記制御部に電気接続されており、送風機１３の運転は前記制御部により制御される。
【００５５】
天板５は図１に示すように筐体１０の上開口部１５（図３参照）の周縁部上に設置され、筐体１０の上開口部１５を覆う。
【００５６】
図９Ａに天板５の底面図を示し、図９Ｂに天板５の断面図を示す。天板５は天板本体５０、取付板５１、および枠体５２を備えている。天板本体５０は天板５の上面を構成している。天板本体５０は平面視矩形状の平板状に形成されている。天板本体５０はガラスから形成されており、非磁性体である。天板本体５０において各焜炉バーナー１２Ａ，１２Ｂに対応する箇所には、上下に貫通するバーナー用孔５３が形成されている。
【００５７】
取付板５１は天板本体５０の下面に沿って配置されている。取付板５１は、平面視で天板本体５０と略同じ大きさの矩形状に形成されている。取付板５１の材質は特に限定されないが、例えば金属や合成樹脂が用いられる。
【００５８】
取付板５１において各焜炉バーナー１２Ａ，１２Ｂに対応する箇所には、上下に貫通する貫通孔５４が形成されている。各焜炉バーナー１２Ａ，１２Ｂは、対応する貫通孔５４およびバーナー用孔５３を通して天板本体５０の上方に突出する。
【００５９】
枠体５２は平面視矩形枠状に形成されている。本実施形態の枠体５２は金属製であって、詳しくはアルミニウム製である。
【００６０】
図１０に示すように、枠体５２は接着剤５５により天板本体５０の周縁部に取り付けられている。取付板５１は天板本体５０とこの下方に位置する枠体５２との間に挿入されて保持されている。これにより取付板５１は天板本体５０に対して固定されている。
【００６１】
図９Ａに示すように、取付板５１には左右方向に長い開口５７が形成されている。開口５７は取付板５１を上下に貫通している。開口５７は取付板５１の前部に位置し、両貫通孔５４の前方に存在している。取付板５１の開口５７の周縁部は、下方に配置される基板収納体７（図１１参照）を固着するための被着部５８になっている。
【００６２】
図１１に示す本実施形態の基板収納体７は、合成樹脂製である。基板収納体７は上方に開口した底の浅い箱状であって、平面視で左右に長さ方向を有する略矩形状に形成されている。基板収納体７は底部７０と底部７０の周縁部から上方に突出した周壁部７１を備えている。
【００６３】
基板収納体７は、基板収納部７２（図２参照）、気体流入口７３、および気体流出口７４（図１２参照）を備えている。図２に示すように、基板収納部７２は、箱状の基板収納体７の内面部で構成されており、上方に開口した凹部である。基板収納部７２は取付板５１の開口５７の下方に位置している。
【００６４】
基板収納部７２の内側は、送風機１３から送り出された空気が通過する通気空間７５になっている。基板収納部７２の通気空間７５の上方は、天板本体５０で覆われている。すなわち、天板本体５０とこの下方に配置された基板収納部７２とで、送風機１３から送り出された空気が通過する通風部が構成されている。
【００６５】
通気空間７５は基板収納部７２により筐体１０内の両焜炉バーナー１２Ａ，１２Ｂおよびグリル装置１１が配置された空間と仕切られている。このため、各焜炉バーナー１２Ａ，１２Ｂおよびグリル装置１１で発生した熱は、通気空間７５内に伝わり難くなっている。
【００６６】
基板収納部７２には、検出部６１および表示部６０が実装された基板６が、検出部６１および表示部６０と共に収納されている。基板６は基板収納体７に固定された状態で基板収納体７の底部７０に載置されている。検出部６１、表示部６０、および基板６は、天板本体５０の下方に配置されている。
【００６７】
基板収納体７は、周壁部７１の上端部が取付板５１の被着部５８（図９Ａ参照）にビス７６（図１１参照）を用いて取り付けられている。つまり、基板収納体７は、天板５の下面に取り付けられている。
【００６８】
基板６に設けられた表示部６０は、透光性を有する天板本体５０を通して、天板本体５０の上方から視認できる。表示部６０は天板本体５０を通して天板５の上面側に焜炉の運転情報を表示する。本実施形態の表示部６０は前記制御部から出力された情報を表示するものであり、各焜炉バーナー１２Ａ，１２Ｂの点火状態および火力、並びにグリル装置１１の点火状態および火力等を表示する。表示部６０は液晶パネルやＬＥＤ等の光源で構成されており、前記制御部は基板６に設けられた回路を用いて表示部６０による表示を行う。
【００６９】
基板６に設けられた検出部６１は、図１に示されるように天板５に設けられた操作具９０Ａ，９０Ｂの操作を検出する。検出部６１および操作具９０Ａ，９０Ｂについては後に詳述する。
【００７０】
本実施形態の基板収納体７の気体流入口７３は、図１１に示すように基板収納体７の底部７０の左側端部に形成されている。気体流入口７３は通気空間７５に通じている。気体流入口７３は図３に示す送風機１３の吹き出し口２８よりも一回り大きな矩形状に形成されており、下方に向かって開口している。
【００７１】
図１２に示すように基板収納体７の底部７０の右側端部には、下方に突出した突出部７７が形成されている。本実施形態の基板収納体７の気体流出口７４は、突出部７７の前面部に形成されている。気体流出口７４は突出部７７の前面部を前後方向に貫通しており、通気空間７５に通じている。気体流出口７４は図１に示す筐体１０の排気口２３と略同大同形の矩形状の孔である。
【００７２】
本実施形態の基板収納体７の外面には、図１２に示すように金属製の防熱用カバー８が取り付けられている。防熱用カバー８はビス８０により基板収納体７に取り付けられている。防熱用カバー８により、各焜炉バーナー１２Ａ，１２Ｂおよびグリル装置１１で発生した熱は、通気空間７５内に一層伝わり難くなっている。なお、防熱用カバー８は省略可能である。
【００７３】
天板５は図１に示す筐体１０に上方から設置される。このとき図１２に示す天板５に取り付けられた基板収納体７の気体流入口７３には、図３に示すように筐体１０に設置された送風機１３の吹き出し口２８が下方から嵌め込まれる。これにより、基板収納体７内の通気空間７５は、気体流入口７３を介して送風機１３の吹き出し口２８に通じている。また、このように筐体１０上に天板５が設置されたとき、図１２に示す基板収納体７の気体流出口７４は、図１に示す筐体１０の排気口２３に対向する。これにより、基板収納体７内の通気空間７５は、気体流出口７４を介して排気口２３に通じている。
【００７４】
送風機１３は、焜炉の運転時に駆動される。送風機１３が駆動されると、図４に示す筐体１０の吸気口２２より筐体１０外部の空気が吸い込まれる。この空気は図３に示す送風機１３を通り、吹き出し口２８から図１２に示す気体流入口７３を介して基板収納部７２の通気空間７５に流入する。そして、この空気は通気空間７５に配置された基板６近傍を通過し、気体流出口７４から図１に示す排気口２３を介して筐体１０の外部に排出される。このとき、基板６は前記通気空間７５を通過する空気により冷却される。これにより、基板６が高温になって不具合が生じることが防止される。
【００７５】
図１に示すように天板５上には、鍋やフライパン等の調理容器を支持するための五徳９１Ａ，９１Ｂが焜炉バーナー１２Ａ，１２Ｂ毎に設けられている。
【００７６】
天板５には焜炉バーナー１２Ａ，１２Ｂ毎に操作具９０Ａ，９０Ｂが設けられている。各操作具９０Ａ，９０Ｂは天板本体５０の前部の上に設置されている。
【００７７】
本実施形態の各操作具９０Ａ，９０Ｂは、前後のスライド操作および上下軸回りの回転操作がなされる操作ノブであって、対応する焜炉バーナー１２Ａ，１２Ｂの点消火の切替えおよび対応する焜炉バーナー１２Ａ，１２Ｂの火力を調節するために用いられる。
【００７８】
図１３に示すように、天板本体５０には、平面視で各操作具９０Ａ，９０Ｂの回転中心と重なる操作具設置位置５９が設定されている。本実施形態では、各操作具設置位置５９が対応する焜炉バーナ１２Ａ，１２Ｂの前側に位置している。
【００７９】
各操作具９０Ａ，９０Ｂには、その回転中心と重なる部分に、保持用磁極９２が設けられている。各操作具９０Ａ，９０Ｂの保持用磁極９２はネオジム磁石である。本実施形態の各操作具９０Ａ，９０Ｂは、保持用磁極９２のＳ極が上側に、Ｎ極が下側に位置するように天板５上に設置されている。
【００８０】
天板５の各操作具設置位置５９の下方には、主磁束形成用磁極６２が設けられている。各主磁束形成用磁極６２は基板６に固定されており、天板本体５０の下面に沿って配置されたクッション９３の下面に当接している。なお、各主磁束形成用磁極６２は天板本体５０に直接固定されてもよい。
【００８１】
各主磁束形成用磁極６２は、ネオジム磁石であって、天板５を上下に貫通する主磁束を形成している。
【００８２】
本実施形態の各主磁束形成用磁極６２は、Ｓ極が上側に、Ｎ極が下側に位置するように、天板５の下面側に設けられている。各主磁束形成用磁極６２によって形成された主磁束は、天板本体５０部に対して垂直に貫通している。
【００８３】
各操作具９０Ａ，９０Ｂの保持用磁極９２は、対応する主磁束形成用磁極６２と磁気的に結合しており、これにより各操作具９０Ａ，９０Ｂは天板５の上面の所定の位置に着脱可能に保持されている。
【００８４】
すなわち、各操作具９０Ａ，９０Ｂは、天板５の所定位置に所定の向きで配置されると、対応する操作具設置位置５９を上下に貫通する主磁束に、保持用磁極９２の磁束が作用して、操作具９０Ａ，９０Ｂの上下向き（垂直姿勢）を維持しようとする磁気的な力が働くとともに、主磁束の位置に保持用磁極９２が位置しようとする力が働く。これにより、各操作具９０Ａ，９０Ｂは、その保持用磁極９２が対応する主磁束形成用磁極６２の直上に位置して、平面視における位置が維持される。この状態では、操作具９０Ａ，９０Ｂに水平方向に力が作用して天板５の上面上をスライド移動しても、操作具９０Ａ，９０Ｂを所定の位置に戻そうとする磁気的な力が作用して、所定の位置に戻る。
【００８５】
また、各操作具９０Ａ，９０Ｂには、保持用磁極９２から平面視において離れた位置に、回動検出用磁極９４が設けられている。本実施形態の各操作具９０Ａ，９０Ｂには、図１４に示すように、回動検出用磁極９４が、平面視で保持用磁極９２から所定距離離れた位置に、６０°間隔で６個設けられている。各操作具９０Ａ，９０Ｂの各回動検出用磁極９４は、ネオジム磁石であって、Ｓ極が上側に、Ｎ極が下側に位置している。
【００８６】
図１５に示すように、天板５の下面側には、主磁束形成用磁極６２から平面視において離れた位置にクリック感付与用磁極６３が設けられている。本実施形態の各クリック感付与用磁極６３は基板６に固定されている。なお、各クリック感付与用磁極６３は天板本体５０に直接固定されてもよい。
【００８７】
クリック感付与用磁極６３はネオジム磁石であって、Ｓ極が上側に、Ｎ極が下側に位置するように天板５の下面側に設けられている。
【００８８】
なお、各主磁束形成用磁極６２、各クリック感付与用磁極６３、各操作具９０Ａ，９０Ｂの保持用磁極９２および各回動検出用磁極９４は、磁石（電磁石を含む）の種類、寸法、形状、その他の特性（例えば磁力の強さや向き）等は特に限定されない。
【００８９】
ユーザーにより各操作具９０Ａ，９０Ｂが回転されると、両回動検出用磁極９４とクリック感付与用磁極６３との間に作用する磁気的吸引力が所定の角度間隔（第一実施形態では６０°）毎に変化する。これにより、操作具９０Ａ，９０Ｂを回転するユーザーに対して、操作具９０Ａ，９０Ｂの所定の回転角度毎にクリック感が付与される。さらに、回動検出用磁極９４とクリック感付与用磁極６３との間に作用する磁気的吸引力により、操作具９０Ａ，９０Ｂの平面視における回転角度が維持される。これにより、地震等により振動が発生した場合でも、操作具９０Ａ，９０Ｂの回転角度が維持され、使用者が操作しない限り、操作具９０Ａ，９０Ｂが回転してしまうのが抑制される。
【００９０】
一方、基板６において各操作具９０Ａ，９０Ｂに対応する位置には、各操作具９０Ａ，９０Ｂに対して２つずつ検出部６１が実装されている。
【００９１】
各検出部６１はホール素子で構成された磁気検出部であって、対応する操作具９０Ａ，９０Ｂの回動検出用磁極９４からの磁束を検出する。
【００９２】
本実施形態では、基板６の各操作具９０Ａ，９０Ｂに対応する領域において、平面視で主磁束形成用磁極６２の中心を中心にした仮想円上に２つの検出部６１が周方向に間隔を介して配置されている。両検出部６１は前記仮想円上において周方向に６０°離れている。また、各検出部６１は、前記仮想円上において、対応する主磁束形成用磁極６２の中心と対応するクリック感付与用磁極６３の中心とを結ぶ線に対して周方向に３０°離れている。なお、各検出部６１の個数は特に限定されず、また、各検出部６１はホール素子に限られず、磁気検出抵抗といった他の磁気検出素子であってもよい。
【００９３】
ユーザーにより天板５の各操作具設置位置５９上にある操作具９０Ａ，９０Ｂが図１の矢印Ｄ１に示すように天板５の上面に沿って後方にスライド移動させられると、対応する二個の検出部６１が検出する、回動検出用磁極９４からの磁束の大きさがそれぞれ変化し、操作具９０Ａ，９０Ｂがスライド移動したことが検出される。基板６に設けられた回路は、前記各検出部６１で検出した検出情報を前記制御部に出力する。前記制御部はこれを受けて各焜炉バーナー１２Ａ，１２Ｂの点消火を切り替える。
【００９４】
また、ユーザーにより各操作具９０Ａ，９０Ｂが対応する操作具設置位置５９を中心にして上下軸回りに回転させられると、対応する検出部６１によって検出する、回動検出用磁極９４からの磁束の大きさは、回動検出用磁極９４と磁気検出部６１との間の距離の大小により変化する。すなわち、各検出部６１によって検出する、回動検出用磁極９４からの磁束の大きさは、操作具９０Ａ，９０Ｂの回転角度に応じて変化する。基板６に設けられた回路は、前記操作具９０Ａ，９０Ｂを回転したときに各検出部６１で検出した検出情報を制御部に出力する。制御部はこれを受けて各焜炉バーナー１２Ａ，１２Ｂの火力を前記検出情報に応じて調節する。
【００９５】
なお、本実施形態の操作具９０Ａは操作ノブであるが、抵抗膜方式や静電容量方式等を用いたタッチパネルを採用し、操作具９０Ａをユーザーによって操作される操作画面としても構わない。
【００９６】
以上説明した本実施形態の焜炉は、以下に示す第１の特徴を有している。焜炉は、焜炉本体１、天板５、基板６、および基板収納体７を備える。焜炉本体１は、外郭を構成する、上方に開口した筐体１０と、筐体１０内に設置された送風機１３とを備える。筐体１０に吸気口２２と排気口２３とが形成される。送風機１３の吸い込み口３１が吸気口２２に対向する。基板６は天板５の下方に配置される。基板６は、天板５に設けられた操作具９０Ａ，９０Ｂの操作を検出するための検出部６１と、天板５を通して天板５の上面側に焜炉の運転情報を表示する表示部６０が実装されたものである。基板収納体７は、基板収納部７２と、基板収納部７２内に通じる気体流入口７３と、基板収納部７２内に通じる気体流出口７４とを備える。基板収納部７２に基板６が収納される。基板収納体７が天板５に取り付けられる。天板５が筐体１０の上開口部１５を覆うように筐体１０上に設置される。基板収納体７の気体流入口７３が送風機１３の吹き出し口２８に通じる。基板収納体７の気体流出口７４が筐体１０の排気口２３に通じる。
【００９７】
この第１の特徴を有する焜炉は、筐体１０の吸気口２２が、送風機１３の吸い込み口３１、吹き出し口２８、基板収納体７の気体流入口７３、基板収納部７２の内部、および気体流出口７４を順に介して筐体１０の排気口２３に連通する。このため、送風機１３の駆動により、筐体１０の外部の空気を、筐体１０の吸気口２２から取り込んで、基板収納部７２の内側に通過させた後、排気口２３から筐体１０の外部に排出でき、このとき基板収納部７２の内部を通過する空気により、検出部６１および表示部６０が設けられた基板６を冷却できる。
【００９８】
また、基板６が収納された基板収納体７は、筐体１０ではなく天板５に取り付けられている。このため、例えば焜炉のメンテナンスのために筐体１０上に設置した天板５を筐体１０から取り外し、この後、再度天板５を筐体１０上に設置した時に、基板６の天板５に対する相対位置がずれ難くなる。従って、天板５の脱着に伴って基板６に実装された表示部６０が天板５の正しい表示位置からずれるといった事態が生じ難くなる。また、天板５の脱着に伴って基板６に実装された検出部６１が天板５に設けられた操作具９０Ａ，９０Ｂからずれた位置に配置されるといった事態も生じ難くなる。このため、検出部６１の検出精度の低下を抑制できる。
【００９９】
また、第１の特徴を有する焜炉は以下に示す第２の特徴を有することが好ましい。吸気口２２が筐体１０の周壁部に形成される。送風機１３が、吸い込み口３１の周囲部（立上部３０）を筐体１０の周壁部における吸気口２２の周囲部に当接した状態を適正装着位置として前記筐体１０に装着される。送風機１３は、吸い込み口３１の周囲部から吸気口２２側となる側方に突出した後に上方に突出した支持片３３を備える。筐体１０の周壁部における吸気口２２の周囲部に支持孔３４が形成される。支持片３３が支持孔３４に挿入されて、送風機１３が支持孔３４の上縁部により、吸い込み口３１の周囲部が筐体１０の周壁部に沿う位置とこの位置より前記吸気口２２側とは反対側の側方に離れた位置との間で揺動できるように且つ送風機１３が前記揺動の方向と交差する第１方向（本実施形態では後方）に移動できるように支持される。筐体１０に、送風機１３が適正装着位置に配置されたときに送風機１３の前記揺動を規制し且つ送風機１３が適正装着位置から第１方向に移動したときに前記揺動の規制が解除される規制部４０と、適正装着位置に配置された送風機１３が第１方向に移動することを規制する規制体４２とが設けられる。
【０１００】
この第２の特徴を有する焜炉は、送風機１３を筐体１０に容易に取り付けることができ、また、送風機１３を筐体１０から容易に取り外すことができる。すなわち、送風機１３を筐体１０に取り付ける場合、作業者は送風機１３を適正設置位置に配置された姿勢よりも、下部が吸気口２２側と反対側に位置するように傾けて、支持片３３を支持孔３４に簡単に挿入できる。また、この後、作業者は、送風機１３を下部が吸気口２２に近づくように回転し、規制部４０によって送風機１３の前記揺動を規制し、且つ規制体４２により送風機１３の第１方向への移動を規制することで、送風機１３を容易に筐体１０に固定することができる。また、筐体１０から送風機１３を取り外す場合は、作業者は前記取り付け時の手順と逆の手順により、送風機１３を筐体１０から容易に取り外すことができる。
【０１０１】
また、第２の特徴を有する焜炉は、以下に示す第３の特徴を有することが好ましい。規制体４２が送風機１３に上方から挿通されて筐体１０にねじ込まれたビス４３である。
【０１０２】
この第３の特徴を有する焜炉は、筐体１０の上方から送風機１３にビス４３を挿通し、このビス４３を筐体１０にねじ込むことで、送風機１３を簡単に筐体１０に取り付けることができる。また、筐体１０の上方からビス４３を取り外すだけで、筐体１０に対する送風機１３の固定を簡単に解除できる。
【０１０３】
なお、本実施形態の基板６には検出部６１と表示部６０が設けられているが、基板６には検出部６１だけが設けられてもよいし、表示部６０だけが設けられてもよい。
【０１０４】
また、本実施形態の送風機１３には、２つの支持片３３が設けられているが、１又は３以上の支持片３３が設けられてもよい。また、前記第１方向は後方に限られず、例えば前方であってもよい。
【０１０５】
また、規制体４２は送風機１３の第１方向の移動を規制できるものであれば、複数のビスであってもよいし、ビス４３以外のその他の固着具であってもよい。
【０１０６】
また、この他、本実施形態の焜炉は本発明の趣旨を逸脱しない範囲で適宜設計変更可能である。
【符号の説明】
【０１０７】
１  焜炉本体
１０  筐体
１３  送風機
１５  上開口部
２２  吸気口
２３  排気口
２８  吹き出し口
３１  吸い込み口
３３  支持片
３４  支持孔
４０  規制部
４２  規制体
４３  ビス
５  天板
６  基板
６０  表示部
６１  検出部
７  基板収納体
７２  基板収納部
７３  気体流入口  ７４  気体流出口
【図１】
0006434256.tif 000002
【図２】
0006434256.tif 000003
【図３】
0006434256.tif 000004
【図４】
0006434256.tif 000005
【図５】
0006434256.tif 000006
【図６】
0006434256.tif 000007
【図７】
0006434256.tif 000008
【図８】
0006434256.tif 000009
【図９】
0006434256.tif 000010
【図１０】
0006434256.tif 000011
【図１１】
0006434256.tif 000012
【図１２】
0006434256.tif 000013
【図１３】
0006434256.tif 000014
【図１４】
0006434256.tif 000015
【図１５】
0006434256.tif 000016